(57)【要約】【課題】親機と、親機との間で確立された所定周期の同期タイミングに基づいて無線回線を通じて電波を送受信するマイクとを備えるワイヤレスマイクシステムにおいて、使用者がマイクに音声を入力してから、親機で音声が再生され始めるまでの遅延時間を短縮すること。【解決手段】親機３と、前記親機３との間で確立された所定周期の同期タイミングに基づいて無線回線を通じて電波を送受信するマイク２とを備えるワイヤレスマイクシステム１であって、前記マイク２は、前記所定周期と等しい周期に設定された音声取り込み期間毎に取得した音声信号を圧縮処理して圧縮信号を生成する音声処理部１８と、前記圧縮信号を、前記同期タイミングに基づいて前記親機に周期的に送信する無線部１１と、を備え、前記音声処理部１８は、前記同期タイミングに基づいて前記圧縮処理を開始するタイミングを決定する。【選択図】図２
2015019146.tif 000002
【特許請求の範囲】
【請求項１】
親機と、前記親機との間で確立された所定周期の同期タイミングに基づいて無線回線を通じて電波を送受信するマイクとを備えるワイヤレスマイクシステムであって、
前記マイクは、
前記所定周期と等しい周期に設定された音声取り込み期間毎に取得した音声信号を圧縮処理して圧縮信号を生成する音声処理部と、
前記圧縮信号を前記同期タイミングに基づいて前記親機に周期的に送信する無線部と、を備え、
前記音声処理部は、前記同期タイミングに基づいて前記圧縮処理を開始するタイミングを決定することを特徴とするワイヤレスマイクシステム。
【請求項２】
前記音声処理部は、前記同期タイミングに基づいて前記音声取り込み期間の始期を決定することを特徴とする請求項１に記載のワイヤレスマイクシステム。
【請求項３】
前記親機および前記マイクは、時分割多元接続によってデータの送受信を実行し、前記時分割多元接続のフレーム期間には複数の送信スロットが含まれ、前記複数の送信スロットには、前記マイクから前記親機へ前記圧縮信号を送信する第１マイク送信スロットが含まれ、
前記音声処理部は、前記第１マイク送信スロットの直前の送信スロットの期間中に、前記圧縮処理が完了するように前記圧縮処理を開始するタイミングを決定することを特徴とする請求項１または請求項２に記載のワイヤレスマイクシステム。
【請求項４】
前記音声処理部は、前記音声取り込み期間の終期よりも前に前記圧縮処理を開始することを特徴とする請求項３に記載のワイヤレスマイクシステム。
【請求項５】
前記時分割多元接続のフレーム期間には、前記第１マイク送信スロットと１つのチャネルを構成して前記親機から前記マイクへデータを送信する子機受信スロットが含まれ、
前記親機は、前記時分割多元接続のフレーム期間において、前記子機受信スロットを、前記マイクから前記親機へ前記圧縮信号を送信する第２マイク送信スロットに変更し、
前記マイクは前記第１マイク送信スロットおよび前記第２マイク送信スロットを用いて前記圧縮信号を送信することを特徴とする請求項３または請求項４に記載のワイヤレスマイクシステム。
【請求項６】
前記親機は、前記フレーム期間において、前記第１マイク送信スロットと前記第２マイク送信スロットとの中間のタイミングに、更に第３マイク送信スロットを設定することを特徴とする請求項５に記載のワイヤレスマイクシステム。
【請求項７】
前記親機は、前記フレーム期間において、前記親機から前記マイクに少なくともエラー情報を通知するエラー通知スロットを設定することを特徴とする請求項５または請求項６に記載のワイヤレスマイクシステム。
【請求項８】
前記親機は、前記フレーム期間毎に前記マイクとの間で同期を維持する制御スロットを設定し、前記制御スロットの一部を、少なくともエラー情報を通知するエラー通知スロットとして用いることを特徴とする請求項５または請求項６に記載のワイヤレスマイク。
【請求項９】
前記親機は、前記エラー通知スロットにおいて、データビットフィールドを更に付加して送信することを特徴とする請求項８に記載のワイヤレスマイクシステム。
【請求項１０】
前記親機は、複数の前記フレーム期間で構成されるマルチフレーム期間において、前記エラー通知スロットを１度送信することを特徴とする請求項７ないし請求項９のいずれか１項に記載のワイヤレスマイクシステム。
【請求項１１】
前記親機は、前記マイクから受信した前記圧縮信号に伝送エラーが含まれるか否かを検出する親機制御部を備え、
前記親機制御部は、前記圧縮信号に伝送エラーが含まれることを検出すると、前記子機との間で前記同期タイミングを再確立し、
前記無線部は、前記親機との間で再確立された同期タイミングに基づいて、前記圧縮信号を前記親機に周期的に送信し、
前記音声処理部は、前記再確立された同期タイミングに基づいて、前記圧縮処理を開始するタイミングを決定することを特徴とする請求項１ないし請求項４のいずれか１項に記載のワイヤレスマイクシステム。
【請求項１２】
前記親機は、前記マイクから受信した圧縮信号を伸長処理して音声信号を生成する親機音声処理部を更に備え、
前記親機制御部が、前記マイクから受信した前記圧縮信号に伝送エラーが含まれることを検出した場合、前記親機音声処理部は、前記再確立した同期タイミングに基づいて前記音声信号が生成されるまでの期間、音声信号の再生を停止することを特徴とする請求項１１に記載のワイヤレスマイクシステム。
【発明の詳細な説明】
【技術分野】
【０００１】
本発明は、電波を利用して音声を伝送するワイヤレスマイクシステム、特に、親機と、この親機との間で確立された同期タイミングに基づいて、無線回線を通じて親機に音声信号を送信するマイクとを備えるワイヤレスマイクシステムに関するものである。
【背景技術】
【０００２】
電波を利用して音声を伝送するワイヤレスマイクシステムは、マイクと親機（拡声器）とをケーブルで接続する必要がなく、使用環境への柔軟な対応が可能であることから、公共／企業施設や各種学校、店舗など、様々な現場で利用されている。このようなワイヤレスマイクシステムにおいて、マイクから親機へディジタル音声データを送信するように構成したものが知られている。
【０００３】
このようなシステムの例として、スタジオ内の収録で、複数の音声をそれぞれ別々のワイヤレスマイクを用いてディジタルオーディオミキサ等に入力する場合に、各音声を送信する送信装置による伝送遅延の違いを解消するために、送信装置が内部処理によるディジタルデータの遅延時間を記憶し、この遅延時間を示す遅延情報を受信装置に送信する技術が開示されている（特許文献１）。
【０００４】
また、他の例として、音声データを非同期伝送で伝送する際に、所定のサンプリング周期でサンプリングした音声データを圧縮符号化し、この圧縮された音声データを一時的に蓄積し、この蓄積された音声データを所定の伝送路に送出し、蓄積手段での音声データの蓄積量に基づいて、圧縮手段での圧縮符号化の圧縮率を可変設定する技術が開示されている（特許文献２）。
【０００５】
また、他の例として、受信手段のシステムクロック周波数を送信手段よりも高く設定して、送信手段から音声データを時分割して所定の時間長を有するパケットに含ませてパケット単位で繰り返し送信する非同期ディジタル無線通信システムにおいて、バッファメモリのアンダーフロー状態が解消されるまで、受信手段の１パケットあたりの受信処理時間を遅らせる技術が開示されている（特許文献３）。
【先行技術文献】
【特許文献】
【０００６】
【特許文献１】特開２００８−２５８８３７号公報
【特許文献２】特開２００２−２６８６９１号公報
【特許文献３】特開２００６−０８６７７９号公
【発明の概要】
【発明が解決しようとする課題】
【０００７】
マイクと親機との間で同期を確立して音声信号を送信する時分割多元接続をワイヤレスマイクシステムに応用した場合、時分割多元接続では使用する通信チャネルの混信状況等に応じて、通信チャネルが動的に設定される。一方、マイクから親機に送信する音声信号には、一般的に圧縮処理が施される。このとき、圧縮処理を固定的なタイミングで実行すると、使用する通信チャネルとの時間的な関係によっては、マイクへの音声入力からスピーカによる音声再生までの遅延時間が拡大することがあった。この結果、親機で再生された音声が、マイクの使用者にも聞こえるような使用環境では、使用者が違和感を覚えるような場合があった。
【０００８】
しかしながら、特許文献１に開示された技術は、複数のワイヤレスマイクを用いて入力された音声信号をオーディオミキサ等で編集する際に、各音声信号に対する遅延時間を調整することはできても、遅延そのものを低減することはできず、結局、伝送される音声信号は最大の遅延時間を有する送信手段に律速されてしまう。
【０００９】
また、特許文献２に開示された技術は、圧縮処理を行う際の圧縮率を可変とすることで、圧縮処理された音声信号を一時的に蓄積するバッファメモリの使用量をある程度一定に保つことが可能だが、あくまでも非同期通信に伴う際にバッファメモリのオーバーフローやアンダーフローを防止するものであって、音声再生の遅延そのものを短縮することはできない。
【００１０】
また、特許文献３に開示された技術は、受信手段のシステムクロック周波数を送信手段の周波数よりも高く設定して、意図的にバッファメモリがアンダーフロー状態となるようにし、その際に受信手段における受信処理時間を遅らせるようにしているが、この構成を時分割多元接続のような同期システムに導入すると、結果的に受信処理の遅延が同期の周期である１フレーム期間を越えて拡大し、音声再生の更なる遅延に直結することになる。
【００１１】
本発明は、このような従来技術の課題を解決するべく案出されたものであり、その主な目的は、親機と、親機との間で確立された所定周期の同期タイミングに基づいて無線回線を通じて電波を送受信するマイクとを備えるワイヤレスマイクシステムにおいて、使用者がマイクに音声を入力してから、親機で音声が再生され始めるまでの遅延時間を短縮することが可能なワイヤレスマイクシステムを提供することにある。
【課題を解決するための手段】
【００１２】
本発明のワイヤレスマイクシステムは、親機と、前記親機との間で確立された所定周期の同期タイミングに基づいて無線回線を通じて電波を送受信するマイクとを備えるワイヤレスマイクシステムであって、前記マイクは、前記所定周期と等しい周期に設定された音声取り込み期間毎に取得した音声信号を圧縮処理して圧縮信号を生成する音声処理部と、前記圧縮信号を前記同期タイミングに基づいて前記親機に周期的に送信する無線部と、を備え、前記音声処理部は、前記同期タイミングに基づいて前記圧縮処理を開始するタイミングを決定するようにしたものである。
【発明の効果】
【００１３】
本発明によれば、上述の構成によって、時分割多元接続によって親機との間で動的に同期が確立されたマイクにおいて、圧縮信号を親機に送信するタイミングである同期タイミングに基づいて、音声信号の圧縮処理を開始するタイミングを決定することで、親機には圧縮処理が完了した直後に圧縮信号が送信されるため、使用者がマイクに音声を入力してから、親機で音声が再生され始めるまでの遅延時間を短縮することが可能となる。
【図面の簡単な説明】
【００１４】
【図１】第１実施形態に係るワイヤレスマイクシステムにおけるマイクと親機との関係を示す説明図
【図２】ワイヤレスマイクシステムにおけるマイクの概略構成を示すブロック構成図
【図３】マイク音声処理部およびその周辺構成を示すブロック構成図
【図４】マイク無線部およびその周辺構成を示すブロック構成図
【図５】ワイヤレスマイクシステムにおける親機の概略構成を示すブロック構成図
【図６】親機音声処理部およびその周辺構成を示すブロック構成図
【図７】（ａ）、（ｂ）、（ｃ）は、ＤＥＣＴのフレーム構成を説明する説明図
【図８】（ａ）は、親機における信号処理のタイミングを決定する過程を示すフロー図、（ｂ）は、マイクにおける信号処理のタイミングを決定する過程を示すフロー図
【図９】同期タイミングとマイクで圧縮処理を開始するタイミングと親機で伸長処理を開始するタイミングとの関係を説明する説明図
【図１０】同期タイミングとマイクで圧縮処理を開始するタイミングと親機で伸長処理を開始するタイミングとの関係の変形例を説明する説明図
【図１１】第２実施形態に係るワイヤレスマイクシステムにおいて、子機受信スロットを子機送信スロットに変更する処理内容を示すフロー図
【図１２】第２実施形態に係るワイヤレスマイクシステムにおいて、子機受信スロットを子機送信スロットに変更した場合の、同期タイミングと圧縮処理を開始するタイミングとの関係を説明する説明図
【図１３】第２実施形態に係るワイヤレスマイクシステムにおいて、第１、第２マイク送信スロットに加え、更に第３、第４マイク送信スロットを設けた場合の、同期タイミングと圧縮処理を開始するタイミングとの関係を説明する説明図
【図１４】第３実施形態に係るワイヤレスマイクシステムにおいて、エラー通知スロットを設定する際の処理内容を示すフロー図
【図１５】第３実施形態に係るワイヤレスマイクシステムにおいて、エラー通知スロットを設定した場合の、マイクと親機との送受信状況を説明する説明図
【図１６】（ａ）、（ｂ）、（ｃ）は、第３実施形態に係るワイヤレスマイクシステムにおける制御信号のスロット構成を示す説明図
【図１７】第３実施形態に係るワイヤレスマイクシステムにおいて、制御信号を用いてエラー情報を通知する過程を説明する説明図
【図１８】第３実施形態に係るワイヤレスマイクシステムにおいて、送受信スロットを変更した際の、同期タイミングと圧縮処理を開始するタイミングとの関係を説明する説明図
【発明を実施するための形態】
【００１５】
前記課題を解決するためになされた本発明は、親機と、前記親機との間で確立された所定周期の同期タイミングに基づいて無線回線を通じて電波を送受信するマイクとを備えるワイヤレスマイクシステムであって、前記マイクは、前記所定周期と等しい周期に設定された音声取り込み期間毎に取得した音声信号を圧縮処理して圧縮信号を生成する音声処理部と、前記圧縮信号を前記同期タイミングに基づいて前記親機に周期的に送信する無線部と、を備え、前記音声処理部は、前記同期タイミングに基づいて前記圧縮処理を開始するタイミングを決定するようにしたものである。
【００１６】
これによって、時分割多元接続によって親機との間で動的に同期が確立されたマイクにおいて、圧縮信号を親機に送信するタイミングである同期タイミングに基づいて、音声信号の圧縮処理を開始するタイミングを決定することで、親機には圧縮処理が完了した直後に圧縮信号が送信されるため、使用者がマイクに音声を入力してから、親機で音声が再生され始めるまでの遅延時間を短縮することが可能となる。
【００１７】
また、本発明は、前記音声処理部は、前記同期タイミングに基づいて前記音声取り込み期間の始期を決定するようにしたものである。
【００１８】
これによって、音声取り込み期間は一定の周期で発生し、ハードウェアの動作タイミングを一定に保ち、更に音声信号を一時的に格納するバッファメモリの容量を削減することが可能となる。
【００１９】
また、本発明は、前記親機および前記マイクは、時分割多元接続によってデータの送受信を実行し、前記時分割多元接続のフレーム期間には複数の送信スロットが含まれ、前記複数の送信スロットには、前記マイクから前記親機へ前記圧縮信号を送信する第１マイク送信スロットが含まれ、前記音声処理部は、前記第１マイク送信スロットの直前の送信スロットの期間中に、前記圧縮処理が完了するように前記圧縮処理を開始するタイミングを決定するようにしたものである。
【００２０】
これによって、親機には圧縮処理が完了した直後に設定された第１マイク送信スロットで圧縮信号が送信されるため、ＤＥＣＴ方式のような同期伝送を行うシステムにおいて、使用者がマイクに音声を入力してから、親機で音声が再生され始めるまでの遅延時間を短縮することが可能となる。
【００２１】
また、本発明は、前記音声処理部は、前記音声取り込み期間の終期よりも前に前記圧縮処理を開始するようにしたものである。
【００２２】
これによって、音声の取り込みと圧縮処理とを並列に実行することで、遅延時間を更に短縮することが可能となる。
【００２３】
また、本発明は、前記時分割多元接続のフレーム期間には、前記第１マイク送信スロットと１つのチャネルを構成して前記親機から前記マイクへデータを送信する子機受信スロットとが含まれ、前記親機は、前記時分割多元接続のフレーム期間において、前記子機受信スロットを、前記マイクから前記親機へ前記圧縮信号を送信する第２マイク送信スロットに変更し、前記マイクは前記第１マイク送信スロットおよび前記第２マイク送信スロットを用いて前記圧縮信号を送信するようにしたものである。
【００２４】
これによって、本来の子機受信スロットを第２マイク送信スロットとして用いることで、１つのフレーム期間中に２回のマイク送信スロットが設けられ、同期タイミング、音声取り込み期間も２つ設けられることから、遅延時間を更に短縮することが可能となる。
【００２５】
また、本発明は、前記親機は、前記フレーム期間において、前記第１マイク送信スロットと前記第２マイク送信スロットとの中間のタイミングに、更に第３マイク送信スロットを設定するようにしたものである。
【００２６】
これによって、各フレーム期間にはより多数の同期タイミングが設定される。これによって、遅延時間を更に短縮することが可能となり、更にハードウェアの動作タイミングが一定化され、安定した動作が確保される。
【００２７】
また、本発明は、前記親機は、前記フレーム期間において、前記親機から前記マイクに少なくともエラー情報を通知するエラー通知スロットを設定するようにしたものである。
【００２８】
これによって、遅延時間を短縮しつつ、更にマイクと親機との間で伝送エラーの発生を相互に把握することが可能となる。
【００２９】
また、本発明は、前記親機は、前記フレーム期間毎に前記マイクとの間で同期を維持する制御スロットを設定し、前記制御スロットの一部を、少なくともエラー情報を通知するエラー通知スロットとして用いるようにしたものである。
【００３０】
これによって、独立したエラー通知スロットを設けることなく、親機はマイクにエラーの発生を通知することが可能となる。
【００３１】
また、本発明は、前記親機は、前記エラー通知スロットにおいて、データビットフィールドを更に付加して送信するようにしたものである。
【００３２】
これによって、制御スロットで送信する制御信号の制御ビットフィールドに空きがない場合であっても、親機はマイクにエラーの発生を通知することが可能となる。
【００３３】
また、本発明は、前記親機は、複数の前記フレーム期間で構成されるマルチフレーム期間において、前記エラー通知スロットを１度送信するようにしたものである。
【００３４】
これによって、通常はマイクと親機との間で、識別符号を送受信して双方のペアリングを確保しつつ、伝送エラーが発生したときは、マイクにエラーの発生を通知することが可能となる。
【００３５】
また、本発明は、前記親機は、前記マイクから受信した前記圧縮信号に伝送エラーが含まれるか否かを検出する親機制御部を備え、前記親機制御部は、前記圧縮信号に伝送エラーが含まれることを検出すると、前記子機との間で前記同期タイミングを再確立し、前記無線部は、前記親機との間で再確立された同期タイミングに基づいて、前記圧縮信号を前記親機に周期的に送信し、前記音声処理部は、前記再確立された同期タイミングに基づいて、前記圧縮処理を開始するタイミングを決定するようにしたものである。
【００３６】
これによって、伝送エラーが発生したときに送受信で用いるスロット（即ち同期タイミング）が変更されても、圧縮処理開始タイミングが動的に変更され、常に遅延時間を短縮することが可能となる。
【００３７】
また、本発明は、前記親機は、前記マイクから受信した圧縮信号を伸長処理して音声信号を生成する親機音声処理部を更に備え、前記親機制御部が、前記マイクから受信した前記圧縮信号に伝送エラーが含まれることを検出した場合、前記親機音声処理部は、前記再確立した同期タイミングに基づいて前記音声信号が生成されるまでの期間、音声信号の再生を停止するようにしたものである。
【００３８】
これによって、伝送エラーが発生した際に、親機に接続あるいは内蔵されたスピーカから異音が発生するのを防止することが可能となる。
【００３９】
（第１実施形態）
以下、本発明の第１実施形態について図面を参照しながら説明する。図１は、第１実施形態に係るワイヤレスマイクシステム１におけるマイク２と親機３との関係を示す説明図である。図１に示すように、ワイヤレスマイクシステム１は、マイク２と親機３とスピーカ２９とで構成される。マイク２はマイクアンテナ１２を、親機３は親機アンテナ２２を備え、マイク２と親機３とは両者の間で確立された所定周期の同期タイミングに基づいて無線回線を通じて音声信号や制御信号を送受信する。使用者はマイク２に音声を入力すると、その音声信号が無線回線を通じて親機３に送信され、親機３に接続されたスピーカ２９から音声が再生される。なお、スピーカ２９は親機３に内蔵されていてもよい。
【００４０】
第１実施形態では、主にＤＥＣＴ（Digital Enhanced Cordless Telecommunications）方式に準拠してデータを送受信するワイヤレスマイクシステム１を例示して説明する。ＤＥＣＴは２０１１年に策定されたディジタルコードレス電話機の標準規格であり、１．９ＧＨｚ帯（１，８９５，６１６ＫＨｚ〜１，９０２，５２８ＫＨｚ）の周波数を使用し、通信方式はＴＤＭＡ−ＷＢ（時分割多元接続方式）を採用している。ＤＥＣＴでは他機器との電波干渉による通信障害を低減できることや、使用する周波数帯である１．９ＧＨｚは無線ＬＡＮや電子レンジと干渉しないので、ファクスや電話による通話品質を維持できるとされている。またＤＥＣＴは、広帯域の音声データ等を通信できる方式として知られ、周波数チャネルの使用状況を常時モニタリングし、ワイヤレスマイクシステム１自身が最適なチャネルを選択することで効率良く周波数帯域を利用できる。第１実施形態では、マイク２がディジタルコードレス電話機における子機として機能する。
【００４１】
図２は、ワイヤレスマイクシステム１におけるマイク２の概略構成を示すブロック構成図である。以降、図２を用いてマイク２の全体構成について説明する。マイク２は、マイク制御部１０と、マイク無線部１１と、マイク無線部１１に接続されたマイクアンテナ１２と、ユーザインタフェースとしての音質設定ボタンや電源をＯＮ／ＯＦＦするスイッチを含む操作部１３と、操作部１３による設定内容等を表示する表示部１４と、不揮発性メモリで構成された記憶部１５と、マイク２の各構成要素に電源を供給する電池１６と、デュアルポートＲＡＭ（Random Access Memory）で構成されてリングバッファとして機能するメモリ１７と、マイク音声処理部１８と、音声を入力するマイクロフォン１９とで構成される。
【００４２】
マイク制御部１０は、図示しないＣＰＵ（Central Processing Unit）を備え、ＣＰＵは制御プログラム等を格納したＲＯＭ（Read Only Memory）やＥＥＰＲＯＭ（登録商標）（Electrically Erasable Programmable Read-Only Memory）で構成された記憶部１５とバス等で結合されている。マイク制御部１０は制御手段としてマイク２の全体を制御しており、例えば上述した音質設定ボタンが押下された否かはマイク制御部１０によって検出され、押下の有無が認識される。また、マイク制御部１０は、マイク無線部１１やマイク音声処理部１８にアクセスして、これらの動作タイミングを設定する。
【００４３】
図３は、マイク音声処理部１８およびその周辺構成を示すブロック構成図である。マイク音声処理部１８は、Ａ／Ｄ変換部１８ａと、ディジタルスピーチプロセッサ１８ｂと、圧縮処理部１８ｃとで構成される。以降、マイクロフォン１９に入力された音声を圧縮処理するまでの信号処理について説明する。
【００４４】
マイクロフォン１９に入力された音声は、図示しない増幅器によって所定の信号レベルに増幅されアナログ音声信号が生成される。アナログ音声信号はＡ／Ｄ変換部１８ａに出力され、Ａ／Ｄ変換部１８ａによってディジタル音声信号に変換されて、ディジタルスピーチプロセッサ１８ｂに入力される。ディジタルスピーチプロセッサ１８ｂはディジタル音声信号に対して、人の聴覚範囲外の周波数成分の除去、平滑化、暗号化等を実行する。もちろん、マイク２の入力ソースとして音楽等を対象とする場合は、ディジタルスピーチプロセッサ１８ｂによる音声信号処理の内容を適宜変更することができる。
【００４５】
ディジタルスピーチプロセッサ１８ｂにおける信号処理は、一般的には畳み込み演算によるフィルタリング処理を基本とすることが多く、これらの信号処理に特化したＤＳＰ（Digital Signal Processor）等で構成してもよく、もちろん図示しないＣＰＵとディジタルスピーチプロセッサ１０ｃとを１つのプロセッサで構成してもよい。ディジタルスピーチプロセッサ１８ｂで処理されたディジタル音声信号は、メモリ１７に一時的に格納される。
【００４６】
メモリ１７に格納されたディジタル音声信号は圧縮処理部１８ｃに出力される。圧縮処理部１８ｃは、ディジタルスピーチプロセッサ１０ｃの出力を符号化する。圧縮処理部１８ｃは、例えばＣＥＬＰ（Code Excited Linear Prediction coder）方式によって音声信号に対して圧縮処理を行い、圧縮信号を生成する。この圧縮処理はＤＥＣＴ方式の１フレーム期間（一般には１０ｍｓの周期で設けられる）と同期して実行され、圧縮処理部１８ｃは、圧縮処理を開始する直前の１０ｍｓ（音声取り込み期間）の間にメモリ１７に格納されたディジタル音声信号を圧縮処理する。このように、１フレーム期間と音声取り込み期間とは同一周期に設定されるが、後述するように、それぞれが開始されるタイミングは時間的にシフトしている。
【００４７】
圧縮処理部１８ｃで圧縮処理された圧縮信号は、再度メモリ１７に一時的に格納されて、マイク無線部１１に出力される。ここでは、圧縮される前のディジタル音声信号と圧縮信号とを同一のメモリ１７に格納しているが、これらを個別に設けても構わない。
【００４８】
図４は、マイク無線部１１およびその周辺構成を示すブロック構成図である。マイク無線部１１は、フレーム処理部１１ａと、アンプモジュール１１ｂと、変調／復調部１１ｃとで構成される。以降、メモリ１７に格納された圧縮信号をマイク無線部１１から送信するまでの信号処理について説明する。
【００４９】
なお、マイク２はマイク音声処理部１８で生成した圧縮信号を親機３に送信するとともに、親機３から制御信号を受け取っており、この観点ではマイク２は親機３との間で双方向にデータを送受信する。なお、双方向にデータを送受信することから、マイク無線部１１と親機３における親機無線部２１とは共通の構成を備えている。
【００５０】
フレーム処理部１１ａは、図示しないＴＤＤ／ＴＤＭＡ（Time Division Duplex／Time Division Multiple Access）プロセッサを備えている。ＴＤＤ／ＴＤＭＡプロセッサは、周期的に設けられたフレーム内をスロットと呼ばれる単位に分割して、同一周波数において複数の通信を可能にする（時分割多元接続）。このように同一周波数を共有して、ごく短い間にデータ送受信を行うため、実質的に送信と受信とを同時に実行しているかのように見せることができる。更に、ＴＤＭＡでは、周波数帯域を分割するＦＤＭＡ（Frequency Division Multiple Access：周波数分割多元接続）を併用することにより、多数のチャンネルを確保し、かつ周波数の干渉を避けることができる。このようにフレーム処理部１１ａは、短時間のうちに送信（Ｔｘ）と受信（Ｒｘ）とを周期的に切り替えている。なお、ＤＥＣＴのフレームの構造については、後に説明する。
【００５１】
マイク制御部１０は、フレーム処理部１１ａを制御して、マイク２が親機３に圧縮信号を送信する送信タイミングを設定する。上述したように、親機３の親機無線部２１はマイク無線部１１と同様の構成を備えており、親機３においても、マイク２と同一のタイミングで受信タイミングが設定されて、マイク２から送信された圧縮信号を受信する。
【００５２】
以降、マイク２が親機３に圧縮信号の送信を開始するタイミング（親機３がマイク２から送信された圧縮信号の受信を開始するタイミングでもある）、を「同期タイミング」と呼称する。なお、後述するように、ＤＥＣＴ方式ではスロットの単位でデータが送受信され、圧縮信号を送受信する一のスロットは対となる他のスロットとチャネルを構成する。以降の説明では、この他のスロットが生成されるタイミングも「同期タイミング」に含むものとする。即ち、「同期タイミング」とは、「送受信に使用するスロットを生成するタイミング」を意味するものである。
【００５３】
フレーム処理部１１ａには、同期制御部１１ｄが設けられている。同期制御部１１ｄは、マイク２の送信タイミングおよび親機３の受信タイミングを整合させて、同期タイミングを確立する。例えば電源投入当初において、マイク２は自律的に所定のタイミングで受信動作を行っており、その際に、同期制御部１１ｄが親機３の同期要求（同期を図るべきスロットのタイミングからどれだけずれているかの相対値がデータとして含まれる制御信号を複数のフレーム期間にわたって連続送信する）を受信すると、そのずれを補正するように圧縮信号の送信タイミングを決定し、フレーム処理部１１ａは、この補正された送信タイミングに応じて信号処理のハードウェアの調停等を行う。親機３は予め各チャネルをスキャンして混信の少ないスロットを選択した上で同期要求を行っており、これによって、マイク２が親機３を特定して圧縮信号を送信するスロットが決定され、同期タイミングが確立する。
【００５４】
また、フレーム処理部１１ａには図示しないＤ／Ａ変換器とＡ／Ｄ変換器とが内蔵されている。フレーム処理部１１ａは、メモリ１７を介して入力された圧縮信号を、Ｄ／Ａ変換器によってアナログ信号に変換してアンプモジュール１１ｂに出力し、他方、親機３から無線回線を介して入力されアンプモジュール１１ｂで増幅されたアナログ信号（受信信号）をＡ／Ｄ変換器によってディジタル信号に変換する。このように、フレーム処理部１１ａと変調／復調部１１ｃとの間には、アンプモジュール１１ｂを含むアナログ信号のインタフェースが構成されている。
【００５５】
変調／復調部１１ｃでは、アンプモジュール１１ｂが出力した送信信号（アナログ信号）を図示しない送信回路を介してマイクアンテナ１２から放出し、他方、マイクアンテナ１２によって受信した受信信号（アナログ信号）を図示しない受信回路を介してアンプモジュール１１ｂに出力する。
【００５６】
図５は、ワイヤレスマイクシステム１における親機３の概略構成を示すブロック構成図である。以降、図５を用いて親機３の全体構成について説明する。
【００５７】
親機３は、親機制御部２０と、親機無線部２１と、親機無線部２１に接続された親機アンテナ２２と、ユーザインタフェースとしての音量ボリュームや電源スイッチを含む操作部２３と、操作部２３による設定内容等を表示する表示部２４と、不揮発性メモリで構成された記憶部２５と、親機３の各構成要素に電力を供給する電源２６と、デュアルポートＲＡＭで構成されてリングバッファとして機能するメモリ２７と、親機音声処理部２８と、音声を再生するスピーカ２９と、外部インタフェース部３０とで構成される。
【００５８】
親機３は、外部インタフェース部３０によって図示しない電話回線に接続されており、電話回線を介して他の機器との間で音声信号をやりとりする。親機３は無線回線を介してマイク２から音声信号を受信しており、これによってマイク２は親機３を経由して電話回線に音声信号を伝送することができる。なお、外部インタフェース部３０はインターネット等のネットワークに接続にされていてもよく、この場合は、ネットワークを介して音声信号を配信することができる。
【００５９】
親機制御部２０は、上述したマイク制御部１０（図２参照）と同様の構成を備え、不揮発性メモリで構成される記憶部２５とバス等で結合されている。親機制御部２０は制御手段として親機３の全体を制御しており、操作部２３を介して入力された操作内容は親機制御部２０によって検出される。また、親機制御部２０は、親機無線部２１や親機音声処理部２８にアクセスして、これらの動作タイミングを設定する。また、親機制御部２０は、マイク２から送信された圧縮信号の伝送エラーを検出する。具体的には、親機無線部２１（図４参照）がマイク２から送信された圧縮信号を受信した際に、エラー検出フィールド（後述するＣＲＣ２フィールド５４（図７参照））を参照することで、伝送エラーの有無が検出される。
【００６０】
図６は、親機音声処理部２８およびその周辺構成を示すブロック構成図である。親機音声処理部２８は、伸長処理部２８ａと、ディジタルスピーチプロセッサ２８ｂと、Ｄ／Ａ変換部２８ｃとで構成される。以降、マイク２から受信した圧縮信号をスピーカ２９で再生するまでの信号処理について説明する。なおここでは、圧縮信号は既に親機無線部２１を介してメモリ２７に格納されているものとする。
【００６１】
メモリ２７に格納された圧縮信号は伸長処理部２８ａに出力され、伸長処理部２８ａはスロット単位で受信されてメモリ２７に格納された圧縮信号をディジタル音声信号に伸長（復号）する。この伸長処理はＤＥＣＴ方式の１フレーム期間と同期して実行され、伸長処理部２８ａは、伸長処理を実行した直後の１０ｍｓ（音声再生期間）の間に親機３で再生すべきディジタル音声信号を生成する。このように、１フレーム期間と音声再生期間とは同一周期に設定されるが、後述するように、それぞれが開始されるタイミングは時間的にシフトしている。
【００６２】
伸長処理部２８ａで伸長処理されたディジタル音声信号は、再度メモリ２７に一時的に格納されて、ディジタルスピーチプロセッサ２８ｂに出力される。ここでは、伸長される前の圧縮信号と伸長後のディジタル音声信号とを同一のメモリ２７に格納しているが、これらを個別に設けても構わない。
【００６３】
ディジタルスピーチプロセッサ２８ｂは、伸長後のディジタル音声信号に対して、特定音声周波数の強調処理（マイク２のディジタルスピーチプロセッサ１８ｂのフィルタ処理で除去された周波数成分の復元）や、ディジタル音声信号が暗号化されている場合は復号化等を実行する。ディジタルスピーチプロセッサ２８ｂはディジタル音声信号をＤ／Ａ変換部２８ｃに出力する。
【００６４】
ディジタル音声信号は、Ｄ／Ａ変換部２８ｃに入力されアナログ音声信号に変換される。アナログ音声信号は図示しない増幅器によって増幅されて、スピーカ２９によって再生される。
【００６５】
上述したように親機無線部２１の基本的な構成および機能は、図４を用いて説明したマイク無線部１１と実質的に同じである。よって親機３におけるこれらの詳細な説明は省略する。
【００６６】
図７（ａ）、（ｂ）、（ｃ）は、ＤＥＣＴのフレーム構成を説明する説明図である。図７（ａ）に示すように、ＤＥＣＴ方式では一般的に１０ｍｓ周期の１フレーム期間に２４スロット（アップリンク用に１２スロット、ダウンリンク用に１２スロット）を含んで構成される。通常は、スロットＳ０〜スロットＳ１１は親機３からマイク２（以降、ＤＥＣＴのスロット構成や、データの送受信シーケンスを説明する際に、マイク２を「子機２」と呼称することがある）への通信に使用され、スロットＳ１２〜スロットＳ２３は子機２から親機３への通信に使用される。即ちこの例では、子機２側からみると、Ｓ０〜Ｓ１１はそれぞれ子機受信スロット６１であり、Ｓ１２〜Ｓ２３はそれぞれ子機送信スロット６０である。親機３と子機２との間の通信では、スロットＳ０およびスロットＳ１２、スロットＳ１およびスロットＳ１３のように５ｍｓ離れた位置関係にあるスロットを組み合わせて（ペアスロット）使用され、このペアスロットが１つのチャネルを構成する。
【００６７】
なお、ＤＥＣＴ方式では、時分割多元接続方式における１搬送波当たりのチャネルの数は６、７、８、９、１０、１１または１２が許容されており、親機３と子機２とが使用するチャネルの数は上述した同期タイミングを確立する際に決定される。
【００６８】
そして、親機３から子機２へ送信が行われる１２スロット（子機受信スロット６１）の中の少なくとも１つのスロット（例えばスロットＳ０）は制御信号を送るための制御スロットとされている。制御信号は、フレーム内の１つのスロットで親機３から常時（周期的に）送信される。なお、親機３から子機２への制御通信中に電波干渉が発生したときなどに備えて、遊休中のスロット（例えば、スロットＳ０）を制御スロットとして使用している場合は、スロットＳ１〜スロットＳ１１について、そのスロットが他機器により使用されているか否か（即ち混信の有無）を検出し、実際にスロットＳ０で電波干渉等が発生した場合は、制御スロットをスロットＳ１に移してもよい。そして、これと連動して、制御スロットに対する応答スロット（制御スロットに対する応答に用いられるスロット。子機２から親機３へのデータ送信の際に使用する）はスロットＳ１３に設定される。
【００６９】
また、制御スロットとは別に、親機３と子機２との間で音声信号等を送受信するスロットが決定され、これによって上述した「同期タイミング」が確立する。制御スロットや音声信号等を送受信するスロットとしてどのスロットを使用するかは、親機３と子機２とが送受信を行う際の電波状況等に応じて動的に決定される。
【００７０】
図７（ｂ）に示すように、各スロットはそれぞれ４１６．６７μｓ（＝１０ｍｓ／２４）幅で規定され、各スロットでは同期信号フィールド５０と、制御ビットフィールド５１と、ＣＲＣ１フィールド５２と、データビットフィールド５３と、ＣＲＣ２フィールド５４とが規定されている。
【００７１】
同期信号フィールド５０は、ビット同期を取るためのデータ列とスロット同期を取るためのデータ列とから構成される固定データを含んでいる。ＣＲＣ１フィールド５２には、制御ビットフィールド５１のデータ列に基づいて算出されたＣＲＣ（Cyclic Redundancy Check：巡回冗長検査）符号が書き込まれ、制御ビットフィールド５１の伝送誤りを検出する。ＣＲＣ２フィールド５４は、同様にしてデータビットフィールド５３の伝送誤りを検出する。
【００７２】
図７（ｃ）に示すように、制御ビットフィールド５１は、ヘッダ５１ａとメッセージ領域５１ｂとから構成される。メッセージ領域５１ｂは親機３から子機２に制御信号を渡すためのフィールドであり、発呼・着呼時および待ち受け時等に必要な制御信号をやりとりする。具体的には、制御信号には識別情報（いわゆるＩＤ）、機器能力、通信品質、呼設定や切断、伝送誤りが検出された際の再送制御信号、送受信に使用するスロットを変更する際に新たに使用するスロットに関する情報などを付加することができる。
【００７３】
一方、データビットフィールド５３は、音声信号、画像信号等のパケットを格納するフィールドである。ワイヤレスマイクシステム１において、子機２から親機３へ圧縮信号を送信する際は、データビットフィールド５３に圧縮信号のビット列が書き込まれる。
【００７４】
図８（ａ）は、親機３における信号処理のタイミングを決定する過程を示すフロー図、図８（ｂ）は、マイク２における信号処理のタイミングを決定する過程を示すフロー図である。以降、図８（ａ）、（ｂ）を用いて、第１実施形態のワイヤレスマイクシステム１における信号処理の過程について説明する。
【００７５】
ＤＥＣＴ方式の性質上、親機３とマイク２とは互いに連携して動作するため、図８（ａ）、（ｂ）の処理は同時進行する。以降、親機３およびマイク２の各処理が同時進行する前提で説明する。親機３の電源を投入すると、親機３は音声通信が開始されているかを確認する（ＳＴ８０１）。具体的には、親機３は所定の周期（例えば２秒）で、少なくも子機２の初期の受信周期よりも長期にわたって上述した同期要求を継続して送信する。この同期要求に対してマイク２が応答を返すと、音声通信が開始されたと判断する。また、親機３は音声通信が開始されたと判断すると（ＳＴ８０１でＹｅｓ）、送受信に使用するスロットが決定されたか否かを判定する（ＳＴ８０２）。音声通信が開始されない場合はＳＴ８０１に戻る。
【００７６】
マイク２においても音声通信が開始されている否かを確認する（ＳＴ８１１）。具体的には、マイク２は親機３から送信された同期要求を検出した時点で音声通信が開始されたと判定する。音声通信が開始されたと判断すると（ＳＴ８１１でＹｅｓ）マイク２は送受信に使用するスロットが決定されたか否かを判定する（ＳＴ８１２）。音声通信が開始されない場合（ＳＴ８１１でＮｏ）はＳＴ８１１に戻る。
【００７７】
上述したように、親機３（親機無線部２１（図５参照））は混信などの影響が少ないと判断したスロット（チャネル）を選択する。そして、親機無線部２１が送信する同期要求には選択されたスロットとの相対的な時間差情報が含まれる。マイク無線部１１（図２参照）は電源投入後に所定の周期（初期の受信周期。例えば０．５秒）で親機３からの信号を受信して、同期要求に含まれる時間差情報を取得する。そして、マイク無線部１１はこの時間差情報に基づいて、マイク２が親機３との間で送受信に使用するスロットを決定、即ち「送受信に使用するスロットを生成するタイミング」を決定する。具体的には、親機無線部２１がマイク２に送信した同期要求に含まれる時間差情報は、マイク無線部１１のフレーム処理部１１ａ（図４参照）に設けられたＡ／Ｄ変換器（図示せず）で数値データに変換され、マイク無線部１１は、この時間差情報を実際に受信したタイミングに、時間差情報の数値データを加算することで、同期タイミングを決定する。そしてマイク無線部１１は親機３が選択したスロットで送受信を行うことを親機３に通知する。
【００７８】
即ち、マイク無線部１１はＳＴ８１２において、時間差情報に基づいて送受信を行うスロットを決定した際に使用スロットが決定されたと判断する。また、親機無線部２１はＳＴ８０２において、親機無線部２１が選択したスロットで送受信を行う旨を通知した際に、使用スロットが決定されたと判断する。使用スロットが決定されない場合（ＳＴ８０２、ＳＴ８１２でＮｏ）は、親機３ではＳＴ８０２に戻り、マイク２ではＳＴ８１２に戻る。
【００７９】
使用スロットが決定された場合（ＳＴ８０２でＹｅｓ）は、親機無線部２１は、親機制御部２０に送受信に使用スロットを生成するタイミングを通知する（ＳＴ８０３）。親機無線部２１は送受信に使用するスロットを自ら指定しており、同期タイミングは既知の情報である。
【００８０】
一方、マイク無線部１１は、使用スロットが決定された場合（ＳＴ８１２でＹｅｓ）は、マイク制御部１０に同期タイミングを通知する（ＳＴ８１３）。同期タイミングはマイク制御部１０に渡されて記憶部１５（図２参照）に記憶される。
【００８１】
次に、親機無線部２１は、親機音声処理部２８に同期タイミングを通知する（ＳＴ８０４）。なお、同期タイミングは上述のように親機制御部２０に渡されているので、親機制御部２０によって親機音声処理部２８に設定されるようにしてもよい。この同期タイミングの通知は、図５に破線で示したパスが相当する。
【００８２】
一方、マイク無線部１１は、マイク音声処理部１８に同期タイミングを通知する（ＳＴ８１４）。なお、同期タイミングは上述のようにマイク制御部１０に渡されているので、マイク制御部１０によってマイク音声処理部１８に設定されるようにしてもよい。この同期タイミングの通知は、図２に破線で示したパスが相当する。
【００８３】
次に、親機音声処理部２８は通知された同期タイミングに基づいて、伸長処理部２８ａ（図６参照）における伸長処理の開始タイミングを決定する（ＳＴ８０５）。または、使用するスロットを決定した後に１回のみ音声伸張信号の再生タイミングを決定し、以後は同期タイミングに基づいて伸張処理の開始タイミングを決定するようにしてもよい。また、マイク音声処理部１８は通知された同期タイミングに基づいて、圧縮処理部１８ｃ（図３参照）における圧縮処理の開始タイミングを決定する（ＳＴ８１５）。マイク音声処理部１８においても、使用するスロットを決定した後に１回のみ音声伸張信号の再生タイミングを決定し、以後は同期タイミングに基づいて伸張処理の開始タイミングを決定するようにしてもよい。
【００８４】
図９は、同期タイミングとマイク２で圧縮処理を開始するタイミングと親機３で伸長処理を開始するタイミングとの関係を説明する説明図である。なお、図９においてはスロット構成にはスロットの番号のみを表示しているが、上述してきたように、スロットＳ０のように記載する。また、図９においては説明を簡単にするために、上述した制御スロットおよびこれに応答するスロットについては図示を省略している（図１０、図１２、図１３、図１５、図１８において同じ）。
【００８５】
図９においては、図８を用いて説明したＳＴ８０１〜ＳＴ８０２（親機３）およびＳＴ８１１〜ＳＴ８１２（マイク２）の過程を経て同期タイミングが確立されており、更に、ＳＴ８０３〜ＳＴ８０５（親機３）およびＳＴ８１３〜ＳＴ８１５（マイク２）の過程を経て、親機音声処理部２８では圧縮データの伸長を開始するタイミングが決定され、かつマイク音声処理部１８ではディジタル音声データの圧縮を開始するタイミングが決定されているものとする。
【００８６】
また、図９において、スロット構成に示す「子機送信スロット６０」は、マイク２が親機３に対して圧縮信号を送信する際に使用可能なスロットを、「子機受信スロット６１」は、マイク２が親機３から制御信号等を受信する際に使用可能なスロットを意味する。図９に示すように、マイク２と親機３とは同期タイミングＴＳ１およびＴＳ２で同期が確立されており、マイク２は、同期タイミングＴＳ１を始期とするスロットＳ１６（第１マイク送信スロット）を用いて親機３へ圧縮信号を送信する。なお、「音声圧縮フレーム」とは、圧縮処理に供せられるディジタル音声信号を取り込む期間を意味し、ここでは同期タイミングＴＳ１の周期と等しく１０ｍｓ周期に設定されている。
【００８７】
上述したように、マイク音声処理部１８では、同期タイミング（ここではＴＳ１）に基づいて圧縮処理部１８ｃ（図３参照）で圧縮処理を開始するタイミングが決定されている。圧縮処理に要する時間は圧縮アルゴリズムが実行する操作の回数に比例する。ＣＥＬＰでは音質の設定に応じてフレーム長、圧縮率、ビットレートが既知であるため、操作回数も既知であり、予め処理時間を計算しておくことができる。従って、同期タイミングＴＳ１が決定すれば、これに基づいて圧縮処理を開始するタイミング（圧縮処理開始タイミングＴＣ１）を、圧縮信号を送信するスロット（スロットＳ１６）の始期（即ち、同期タイミングＴＳ１）の直前に設定することができる。スロット構成との関係で言えば、圧縮処理開始タイミングＴＣ１は、圧縮処理の完了（終期）が同期タイミングＴＳ１を始期とするスロットＳ１６の直前のスロットＳ１５期間中となるように決定される。このようにすることで、親機３には圧縮処理が完了した直後に設定された同期タイミングＴＳ１で圧縮信号が送信されるため、ＤＥＣＴ方式のような同期伝送を行うシステムにおいて、使用者がマイク２に音声を入力してから、親機３で音声が再生され始めるまでの遅延時間を短縮することが可能となる。
【００８８】
なお、圧縮処理部１８ｃ（図３参照）は、音声圧縮フレームにおいてディジタル音声信号をメモリ１７（図３参照）に取り込んだ直後に圧縮処理を実行することから、音声圧縮フレーム（音声取り込み期間）の終期ＴＶＧ２は実質的に圧縮処理開始タイミングＴＣ１と一致し、結果的に同期タイミングに基づいて音声圧縮フレームの始期ＴＶＧ１も決定されることになる。これによって、音声圧縮フレームは一定の周期で発生し、ハードウェアの動作タイミングを一定に保ち、更に音声信号を一時的に格納するバッファメモリとして機能するメモリ１７の容量を削減することが可能となる。
【００８９】
ワイヤレスマイクシステム１の使用者は、操作部１３（図２参照）を操作して、音声信号の品質を選択できるようになっている。使用者が高音質を指定した場合、音声圧縮フレームにおけるサンプリング数が多くなるため、圧縮処理開始タイミングＴＣ１はより早期に設定される。逆に使用者が低音質を指定した場合、音声圧縮フレームにおけるサンプリング数が少なくなるため、圧縮処理開始タイミングＴＣ１はより遅く設定される。音質の設定によって、圧縮処理部１８ｃが圧縮処理を開始するタイミングを変化させることで、音質の設定を変えても、遅延時間を短縮する効果が維持される。また、圧縮処理開始タイミングＴＣ１の変更にともなって、音声圧縮フレーム期間（ＴＶＧ１〜ＴＶＧ２）の時間軸上の位置が前後にシフトする。
【００９０】
同期タイミングＴＳ１を始期とするスロットＳ１６を用いて圧縮信号は親機３に送信される。即ち、親機３が圧縮信号の受信を開始するタイミングも同期タイミングＴＳ１となる。親機３は圧縮信号の受信が完了すると、伸長処理開始タイミングＴＥ１で伸長処理部２８ａ（図６参照）による伸長処理を開始してディジタル音声信号に変換する。伸長処理もサンプリング数に比例し、伸長に要する時間も予め算出しておくことが可能であり、伸長処理を実行した後に直ちに上述した親機音声処理部２８によって音声を再生することで、音声が途切れなく再生される。
【００９１】
図９に示す「音声伸長フレーム」とは、伸長処理されたディジタル音声信号を再生する期間を意味する。伸長処理開始タイミングＴＥ１はスロットＳ１６の終期でもあり、図７を用いて説明したように、１つのスロット期間長は既知（４１６．６７μｓ）であるから、結局、伸長処理部２８ａによる伸長処理も同期タイミングＴＳ１に基づいて開始されることになる。音声伸長フレームは一定の周期（ここでは１０ｍｓ）で発生し、ハードウェアの動作タイミングを一定に保ち、更に音声信号を一時的に格納するバッファメモリとして機能するメモリ２７の容量を削減することが可能となる。
【００９２】
なお、図９に示すシーケンスにおいて、使用者がマイク２に音声を入力してから、親機３で音声が再生され始めるまでには、音声圧縮フレーム＋圧縮処理時間＋送信（受信）時間＋伸長処理時間の遅延が生じるものの、圧縮処理の直後に圧縮信号が親機３に送信されることから、使用者がマイク２に音声を入力してから、親機３で音声が再生され始めるまでの遅延時間は最小限に抑えられる。
【００９３】
また、マイク２は、同期タイミングＴＳ２を始期とするスロットＳ４を用いて親機３から送信されたエラー情報を受信する。このエラー情報には、親機３がマイク２から受信した圧縮信号にエラー（図７に示すＣＲＣ２フィールド５４を用いて判定する）が検出された場合の通知の他に、電波状況が悪化して使用するスロットを変更する際に、新たに使用するスロット番号の情報等が含まれる。
【００９４】
図１０は、同期タイミングとマイク２で圧縮処理を開始するタイミングと親機３で伸長処理を開始するタイミングとの関係の変形例を説明する説明図である。変形例においても、マイク音声処理部１８では、同期タイミングＴＳ１に基づいて圧縮処理部１８ｃ（図３参照）で圧縮処理を開始するタイミングが決定され、圧縮処理の完了（終期）が同期タイミングＴＳ１を起点とするスロットＳ１６の直前のスロットＳ１５期間中となるように、圧縮処理開始タイミングＴＣ１が決定される。
【００９５】
変形例では、圧縮方式としてＡＤＰＣＭのように逐次処理を行うアルゴリズムを想定している。この場合、図示するように、音声圧縮フレームの終期ＴＶＧ２よりも前に設定された、圧縮処理開始タイミングＴＣ１から圧縮処理を開始することができる。そして、圧縮処理の終期は音声圧縮フレームの終期ＴＶＧ２と一致させている。上述したように、マイク２のメモリ１７はデュアルポート構成であるから、マイク音声処理部１８はディジタルスピーチプロセッサ１８ｂの出力をメモリ１７に書き込みながら、同時に圧縮処理部１８ｃでメモリ１７（いずれも、図３参照）の内容を読み出すこと、即ち、音声の取り込みと圧縮処理とを並列に実行することができる。
【００９６】
また変形例では、親機３の親機音声処理部２８（図６参照）は、同期タイミングＴＳ１において送信された圧縮信号の伸長処理を伸長処理開始タイミングＴＥ１から開始するとともに、直ちに音声伸長フレームにおいて音声の再生を開始する。親機３においても、メモリ２７はデュアルポート構成としているため、マイク２の場合と同様にメモリ２７への書き込みと読み出しを並列して行うことができる。このように図１０に示す変形例のシーケンスでは、使用者がマイク２に音声を入力してから、親機３で音声が再生され始めるまでに生じる遅延時間は、理論上、音声圧縮フレーム＋送信（受信）時間＋伸長処理時間となり、より遅延時間の短縮を図ることが可能となる。
【００９７】
変形例の構成は、特に、マイク２で実行される圧縮処理や親機３で実行される伸長処理に比較的長期間を要する場合に有用である。変形例では、理論上、圧縮処理や伸長処理に要する時間が１フレーム期間を超えなければよいため、これらの処理を高速化する必要がなく、動作クロックを低速にして消費電力を低減し、更にハードウェア資源等を低コスト化することができる。
【００９８】
（第２実施形態）
第１実施形態では、図９を用いて説明したように「子機送信スロット６０」はマイク２が親機３に対して圧縮信号を送信する際に使用可能なスロットであり、「子機受信スロット６１」は、マイク２が親機３からエラー情報等を受信する際に使用可能なスロットであった。第２実施形態では、子機受信スロット６１を子機送信スロット６０に変更して使用する。ＤＥＣＴ方式においては、このようにスロットの属性を変更して使用することが可能である。
【００９９】
図１１は、第２実施形態に係るワイヤレスマイクシステム１において、子機受信スロット６１を子機送信スロット６０に変更する処理内容を示すフロー図である。以降、図１１では、説明を簡単にするためマイク２における処理について説明するが、第１実施形態で図８を用いて説明したように、実際はマイク２と親機３とは、互いに連携をとって処理を進めている。
【０１００】
図１１において、音声通信が開始されている否かの判定（ＳＴ１１０１）および送受信に使用するスロットが決定されたか否かの判定（ＳＴ１１０２）は、それぞれ上述したＳＴ８１１およびＳＴ８１２と同等であるので説明を省略する。ＳＴ１１０２によって、マイク２と親機３との間で送受信に使用するスロットが決定、即ち同期タイミングが決定される。同期が確立することで、マイク２と親機３とは相互にデータの送受信が可能となる。
【０１０１】
上述したように、親機３の親機無線部２１（図５参照）は、マイク２に対してエラー情報等を定期的に送信しており、親機３はこのエラー情報に子機受信スロット６１を子機送信スロット６０に変更するコマンドを付加してマイク２に送信する。このコマンドは上述したデータビットフィールド５３（図７参照）に書き込むことができる。このコマンドを受信したマイク無線部１１（図４参照）は、データビットフィールド５３の内容をマイク制御部１０（図４参照）に送り、マイク制御部１０はデータビットフィールド５３からコマンドを抽出する。マイク制御部１０はコマンドに従って、フレーム処理部１１ａ（図４参照）を制御して、それまで子機受信スロット６１として用いていたスロットを子機送信スロット６０（第２マイク送信スロット）に変更する（ＳＴ１１０３）。
【０１０２】
これによってマイク２は従前に用いていた第１マイク送信スロットに加え、第２マイク送信スロットを用いて圧縮信号を親機３に送信することが可能となる。即ち、第２実施形態では、コマンドの発行以前は親機３からマイク２にエラー情報等を送信していたスロットを第２マイク送信スロットとして使用するのである。
【０１０３】
その後、マイク無線部１１は、マイク制御部１０に同期タイミングを通知する（ＳＴ１１０４）。第２実施形態では、第１マイク送信スロットおよび第２マイク送信スロットの２つについて、同期タイミングが通知される。同期タイミングはマイク制御部１０に渡されて記憶部１５（いずれも、図２参照）に記憶される。
【０１０４】
更に、マイク無線部１１は、マイク音声処理部１８に同期タイミングを通知し（ＳＴ１１０５）、マイク音声処理部１８は通知された同期タイミングに基づいて、圧縮処理部１８ｃ（図３参照）における、圧縮処理の開始タイミングを決定する（ＳＴ１１０６）。第２実施形態では、圧縮処理の開始タイミングは第１マイク送信スロットおよび第２マイク送信スロットのそれぞれについて決定される。
【０１０５】
図１２は、第２実施形態に係るワイヤレスマイクシステム１において、子機受信スロット６１を子機送信スロット６０に変更した場合の、同期タイミングと圧縮処理を開始するタイミングとの関係を説明する説明図である。図１１を用いて説明したように、第２実施形態では、本来の子機受信スロット６１は子機送信スロット６０に変更されている。２つの子機送信スロットはそれぞれ５ｍｓ周期で設けられている。
【０１０６】
図１２においては、スロットＳ１６が第１マイク送信スロットに相当し同期タイミングＴＳ１に対応する。また、スロットＳ４が第２マイク送信スロットに相当し、同期タイミングＴＳ２に対応する。第２実施形態においても、同期タイミングに基づいて圧縮処理開始タイミングが決定される。即ち、同期タイミングＴＳ１に基づいて、第１マイク送信スロット（スロットＳ１６）で送信すべきディジタル音声信号（取り込み期間である音声圧縮フレームはＴＶＧ１〜ＴＶＧ２の期間）に対する圧縮処理開始タイミングＴＣ１が決定され、同期タイミングＴＳ２に基づいて、第２マイク送信スロット（スロットＳ４）で送信すべきディジタル音声信号（音声圧縮フレームはＴＶＧ２〜ＴＶＧ３の期間）に対する圧縮処理開始タイミングＴＣ２が決定される。
【０１０７】
圧縮処理開始タイミングＴＣ１は、同期タイミングＴＳ１を始期とするスロットＳ１６の直前のスロットＳ１５期間中に圧縮処理が完了するように決定され、圧縮処理開始タイミングＴＣ２は、同期タイミングＴＳ２を始期とするスロットＳ４の直前のスロットＳ３期間中に圧縮処理が完了するように決定される。また、同期タイミングＴＳ１に基づいて音声圧縮フレームの始期（ＴＶＧ１，ＴＶＧ２．．）が決定される。
【０１０８】
そして、スロットＳ１６およびスロットＳ４でマイク２から親機３に送信された圧縮信号は、親機３において、それぞれ伸長処理開始タイミングＴＥ１およびＴＥ２において伸長処理が開始される。
【０１０９】
第２実施形態では、本来の子機受信スロット６１を子機送信スロット６０として用いることで、１つのフレーム期間（１０ｍｓ）中に２回の子機送信スロット６０が設けられ、音声圧縮フレーム、圧縮処理、送信（受信）、伸長処理、音声伸長フレームのそれぞれが５ｍｓの周期で実行される。これによって、第１実施形態と比較して遅延時間が約１／２に半減されることになる。なお、第２実施形態においても、図１０を用いて説明したように、音声取り込みと圧縮処理とを並行して実行することにより、遅延時間は更に低減される。
【０１１０】
図１３は、第２実施形態に係るワイヤレスマイクシステム１において、第１、第２マイク送信スロットに加え、更に第３、第４マイク送信スロットを設けた場合の、同期タイミングと圧縮処理を開始するタイミングとの関係を説明する説明図である。図１３は第２実施形態の変形例を示している。
【０１１１】
この変形例では、子機送信スロット６０のスロットＳ１６および本来の子機受信スロット６１のスロットＳ４に加えて、子機送信スロット６０のスロットＳ２２と本来の子機受信スロット６１のスロットＳ１０とを、マイク２から親機３へと圧縮信号を送信するスロットとして利用する。ここで、スロットＳ２２が第３マイク送信スロットに相当し、スロットＳ１０が第４マイク送信スロットに相当する。このように、変形例では１つのフレーム期間（１０ｍｓ）に４つのマイク送信スロットが設定される。
【０１１２】
変形例においても、圧縮処理開始タイミングＴＣ１〜ＴＣ４は同期タイミングＴＳ１〜ＴＳ４に基づいて決定され、同期タイミングＴＳ１〜ＴＳ４に基づいてマイク２から親機３へ圧縮信号が送信され、親機３では圧縮信号を受信するとＴＥ１〜ＴＥ４のタイミングで音声伸長処理を開始する。
【０１１３】
変形例では、第３マイク送信スロット（スロットＳ２２）の始期は同期タイミングＴＳ３であり、同期タイミングＴＳ３は、第１マイク送信スロット（スロットＳ１６）の始期（同期タイミングＴＳ１）と第２マイク送信スロット（スロットＳ４）の始期（同期タイミングＴＳ２）との中間のタイミングに設定される。即ち、ここでは同期タイミングＴＳ３は、同期タイミングＴＳ１、ＴＳ２のいずれに対しても２．５ｍｓの時間的間隔をもって設けられる。即ち、音声圧縮フレーム、圧縮処理、送信（受信）、伸長処理、音声伸長フレームのそれぞれが２．５ｍｓの周期で実行される。即ち、各フレーム期間には４つの送信タイミングが設定される。これによって、第２実施形態と比較して遅延時間が更に短縮されることになる。
【０１１４】
新たなマイク送信スロットを設ける際に、各マイク送信スロットの始期（同期タイミング）を一定周期で行うようにすることで、マイク２におけるマイク制御部１０、マイク無線部１１、マイク音声処理部１８（いずれも図２参照）および親機３における親機制御部２０、親機無線部２１、親機音声処理部２８（いずれも図５参照）を構成するハードウェアの動作タイミングが一定化され、安定した動作が確保される。
【０１１５】
（第３実施形態）
さて、上述したように第２実施形態およびその変形例では、本来の子機受信スロット６１を子機送信スロット６０に転用する。このため、電波状態が不安定な環境でワイヤレスマイクシステム１を使用する場合等、親機３においてマイク２から送信された圧縮信号に伝送エラーを検出しても、マイク２にエラー情報を通知することができない事態が想定される。
【０１１６】
図１４は、第３実施形態に係るワイヤレスマイクシステム１において、エラー通知スロットを設定する際の処理内容を示すフロー図である。第３実施形態においては、第２実施形態で説明した複数のマイク送信スロット（図１２、図１３参照）とは別に、新たに親機３からマイク２にエラー情報を通知するエラー通知スロットを設けている。なお、図１４においては、説明を簡単にするためマイク２における処理について説明するが、第１実施形態で図８を用いて説明したように、実際はマイク２と親機３とは、互いに連携をとって処理を進めている。
【０１１７】
図１４において、音声通信が開始されている否かの判定（ＳＴ１４０１）および送受信に使用するスロットが決定されたか否かの判定（ＳＴ１４０２）は、それぞれ上述したＳＴ８１１およびＳＴ８１２と同等であるので説明を省略する。ＳＴ１４０２によって、マイク２と親機３との間で送受信に使用するスロットが決定、即ち同期タイミングが決定される。同期が確立することで、マイク２と親機３とは相互にデータの送受信が可能となる。
【０１１８】
上述したように、親機３の親機無線部２１（図５参照）は、マイク２に対して制御スロットを用いて定期的に制御信号を送信しており、親機３は制御信号に子機受信スロット６１を子機送信スロット６０に変更するコマンド、およびエラー通知スロットとして使用するスロットを指定するコマンドを付加してマイク２に送信する。マイク制御部１０（図２参照）はコマンドに従って、それまで子機受信スロット６１として用いていたスロットを子機送信スロット６０に変更する（ＳＴ１４０３）。
【０１１９】
更に、マイク制御部１０は、コマンドに従ってマイク無線部１１を制御してエラー通知のための送受信スロット（エラー通知スロット）を確立する（ＳＴ１４０４）。親機３はマイク２から受信した圧縮信号に伝送エラーがあることを検出すると、エラー通知スロットを用いてマイク２に通知を行なう。他方、マイク２も親機３から送信された制御信号またはエラー通知スロットに含まれる情報に伝送エラーがあることを検出すると、エラー通知スロットを用いて親機３に通知を行なう（ＳＴ１４０５）。
【０１２０】
そして、伝送エラーの発生頻度が所定の頻度を越えると、親機３はマイク送信スロットを変更するコマンドを含む制御信号を送信する。この制御信号の送信そのものに伝送エラーが含まれる場合は、マイク２と親機３との間でスロット変更のネゴシエーションが取られるまで、親機３から制御信号の送信が繰り返し行われる。そして、マイク２はコマンドを正常に受信すると、圧縮信号の送信に使用するマイク送信スロットを変更する（ＳＴ１４０６）。
【０１２１】
図１５は、第３実施形態に係るワイヤレスマイクシステム１において、エラー通知スロットを設定した場合の、マイク２と親機３との送受信状況を説明する説明図である。なお、図１５は、図１２を用いて説明した子機受信スロット６１を子機送信スロット６０に変更した状況において、エラー通知スロットを付加した状態を示している。
【０１２２】
図１５において、同期タイミングＴＳ１を始期とするスロットＳ１６は、マイク２から親機３に圧縮信号を送信する第１マイク送信スロットであり、同期タイミングＴＳ２を始期とするスロットＳ４もマイク２から親機３に圧縮信号を送信する第２マイク送信スロットである。また、タイミングＴＳ１０を始期とするスロットＳ１８は、マイク２から親機３にエラー情報を送信する第１エラー通知スロットであり、タイミングＴＳ２０を始期とするスロットＳ１６は、親機３からマイク２にエラー情報を送信する第２エラー通知スロットである。第１エラー通知スロットと第２エラー通知スロットとは５ｍｓ離間して設けられ、１つのエラー通知チャネルを構成する。このエラー通知チャネルではＤＥＣＴ方式の原則どおりに、子機送信スロット６０においてマイク２から親機３にエラー情報が送信され、本来の子機受信スロット６１において親機３からマイク２にエラー情報が送信される。
【０１２３】
このように、子機受信スロット６１を子機送信スロット６０に変更した場合に、エラー通知スロット（チャネル）を追加することで、使用者がマイク２に音声を入力してから、親機３で音声が再生され始めるまでの遅延時間を短縮しつつ、更にマイク２と親機３との間で伝送エラーの発生を相互に把握することが可能となる。
【０１２４】
以降、エラー通知チャネルを設定するタイミングについて、図１３を併用して説明する。図１３では、同期タイミングとしてＴＳ１、ＴＳ２、ＴＳ３、ＴＳ４をそれぞれ、マイク２から親機３に圧縮信号を送信するマイク送信スロットとして用いたが、この状態からマイク送信スロットを増やそうとすると、ＴＳＸ１（スロットＳ１３の始期）、ＴＳＸ２（スロットＳ１９の始期）、ＴＳＸ３（スロットＳ１の始期）、ＴＳＸ４（スロットＳ７の始期）の４つの同期タイミングを追加すること（即ち、計２４個のスロットのうち、時間的に均等間隔に設けられた８個のスロットをマイク送信スロットとして使用すること）が可能である。即ち、仮にスロットＳ０の始期を同期タイミングとして決定した場合に、スロットＳ［３×ｎ］（ｎ＝０〜７）をマイク送信スロットとして設定することが可能である。
【０１２５】
理論上は、２４のスロット全てをマイク送信スロットとして使用することが可能だが、エラーの通知が困難となり、また１２のスロットとしても周波数の切替先がなく（空いているタイミングが一通りのみなので）、システムに支障が発生する。このため、実施形態ではマイク送信スロットを８つに設定している。そして、スロットＳ［３×ｎ］（ｎ＝０〜７）以外のスロットにエラー通知スロットを設定する、つまり、同期タイミングを始期とする可能性がないスロットを選択してエラー通知スロットに設定することが好ましい。
【０１２６】
実際に、図１５に示すエラー通知スロットの始期（ＴＳ１０およびＴＳ２０）は、「仮にスロットＳ０の始期を同期タイミングとして決定した場合に、スロットＳ［３×ｎ］（ｎ＝０〜７）以外のスロットをエラー通知スロットとして利用する」という要件に合致するものである。このようにすることで、ハードウェア構成になんら影響を与えることなく、エラー通知スロットを追加することができる。
【０１２７】
図１６（ａ）、（ｂ）、（ｃ）は、第３実施形態に係るワイヤレスマイクシステム１における制御信号のスロット構成を示す説明図、図１７は、第３実施形態に係るワイヤレスマイクシステム１において、制御信号を用いてエラー情報を通知する過程を説明する説明図である。以降、制御信号を用いたエラー情報の通知について、図７を併用して説明する。なお、図１６においては、図７で示した伝送エラー検出用のＣＲＣ１フィールド５２およびＣＲＣ２フィールド５４は省略している。
【０１２８】
上述したように、ワイヤレスマイクシステム１では、親機３からマイク２に対して１フレーム期間（ここでは１０ｍｓ）に１回の割合で制御信号が送信される。ＤＥＣＴ方式においては通常、制御ビットフィールド５１には送受信のペアを識別するための識別符号や呼制御情報が書き込まれる。この識別符号等は親機３にあっては４０ビット、親機以外にあっては、３６ビットと規定されている。即ち、制御信号においては、メッセージ領域５１ｂが識別符号を書き込む領域として使用され、その他の情報を伝送するには、データビットフィールド５３が利用される。ただし、制御ビットフィールド５１には、識別符号等に替えて、他の情報を書き込むことも可能である。
【０１２９】
図１６（ａ）に示すように、親機３がマイク２に送信する制御信号は同期信号フィールド５０と制御ビットフィールド５１とで構成される。また、図１６（ｂ）に示すように、マイク２が親機３に送信する制御信号は、同期信号フィールド５０と制御ビットフィールド５１とデータビットフィールド５３とで構成される。マイク２は伝送エラーを検出すると所定のフラグを制御ビットフィールド５１に書き込んで親機３に送信する。またマイク２は、ディジタル音声信号を圧縮処理した圧縮信号をデータビットフィールド５３に書き込んで親機３に送信する。
【０１３０】
親機３がマイク２に送信する制御信号は、図１６（ｃ）に示すように、拡張が可能となっており、親機３は通常の制御信号の構成にデータビットフィールド５３を付加してマイク２に送信することが可能である。
【０１３１】
図１７においても、本来の子機受信スロット６１は子機送信スロット６０として使用され、スロットＳ１６およびスロットＳ４はマイク送信スロットとされている。ＤＥＣＴ方式では、１フレーム期間（１０ｍｓ）に１回の割合で親機３からマイク２に制御信号が送信され、図１７では、制御信号は本来の子機受信スロット６１のうち、スロットＳ１１でマイク２に受信されている。親機３は、マイク２から送信された圧縮信号について伝送エラーを検出すると、制御信号のフィールドを図１６（ｃ）に示すように拡張し、付加されたデータビットフィールド５３にエラー情報を書き込んでマイク２に対してエラー発生を通知する。これによって、制御スロットで送信する制御信号の制御ビットフィールド５１（図１６参照）に空きがない場合であっても、親機３はマイク２に伝送エラーの発生や新たに使用するスロット番号を通知することが可能となる。または、制御ビットフィールド５１に識別符号に替えてエラー情報等を書き込んでマイク２に対してエラー発生を通知してもよい。
【０１３２】
即ち、親機３は、フレーム期間毎にマイク２との間で同期を維持する制御スロットを設定し、制御スロットの一部を、少なくともエラー情報を通知するエラー通知スロットとして用いる。これによって、独立したエラー通知スロットを設けることなく、親機３はマイク２にエラーの発生を通知することが可能となる。
【０１３３】
またＤＥＣＴ方式では、複数のフレームを結合してマルチフレームを構成することができる。マルチフレームの周期は１６０ｍｓとされており、上述したエラー情報を含む制御信号を各マルチフレーム周期に１回送信するようにしてもよい。これによって、通常はマイク２と親機３との間で、識別符号を送受信して双方のペアリングを確保しつつ、伝送エラーが発生したときは、マイク２にエラーの発生を通知することができる。
【０１３４】
図１８は、第３実施形態に係るワイヤレスマイクシステム１において、送受信スロットを変更した際の、同期タイミングと圧縮処理を開始するタイミングとの関係を説明する説明図である。図１８では、電波状態が悪化したような場合に、上述したＳＴ１４０６の処理によってスロットを変更する過程を示している。なお、図１８では、説明を簡単にするために、チャネル数＝６（スロット数＝１２）としている。
【０１３５】
上述したようにＤＥＣＴ方式では、チャネルの数を変更することが可能である。ここでは、スロットＳ０〜スロットＳ５が子機送信スロット６０、スロットＳ６〜スロットＳ１１が子機受信スロット６１として設定されている。そして、子機受信スロット６１のうちスロットＳ１０は親機３からマイク２へとエラー通知を行うエラー通知スロットとして用いられる。なお、上述したように、スロットＳ１０を制御スロットとして用い、データビットフィールド５３（図１６参照）を付加した制御信号を送信してもよい。
【０１３６】
当初、マイク２から親機３への圧縮信号の送信は、同期タイミングＴＳ１、ＴＳ２を始期とするスロットＳ４（マイク送信スロット）を用いて行われている。そして圧縮処理は、同期タイミングＴＳ１、ＴＳ２までに圧縮処理が完了するように、圧縮処理開始タイミングＴＣ１、ＴＣ２が設定されている。親機３は、マイク２から送信される圧縮信号の伝送エラーを検出しており、図１８では、タイミングＴＳＸを始期とするエラー通知スロット（スロットＳ１０）において、親機３からマイク２にエラー通知が行われている。エラー通知には親機３が新たに指定した送受信スロットの生成タイミングが付加されており、ここでは、マイク２が親機３にマイク送信スロットをスロットＳ４からスロットＳ２に変更する指示（スロット変更命令）がなされている。
【０１３７】
マイク音声処理部１８（図３参照）は、スロット変更命令に従って、スロットＳ２の始期であるＮＴＳ３を新たな同期タイミングとして設定し、この同期タイミングＮＴＳ３に基づいて圧縮処理部１８ｃ（図３参照）における圧縮処理開始タイミングＮＴＣ１を決定し、更に新たな音声圧縮フレームの始期ＮＴＶＧ１、ＮＴＶＧ２・・を決定する。そして、圧縮信号は新たな同期タイミング（即ち、再確立された同期タイミング）であるＮＴＳ３を始期とするマイク送信スロット（スロットＳ２）で親機３に送信され、親機３ではタイミングＮＴＥ１を始期として伸長処理を開始する。これによって、伝送エラーが発生したときに送受信で用いるスロット（即ち同期タイミング）が変更されても、圧縮処理開始タイミングが動的に変更され、常に遅延時間を短縮することができる。
【０１３８】
ここで、親機制御部２０（図６参照）は、同期タイミングＴＳ１で受信した圧縮信号に伝送エラーがあることを検出しているから、これを受信して伝送エラーを検出した直後、即ち伸長処理開始タイミングＴＥ１以降は、親機音声処理部２８を制御して音声再生を停止（または減衰）することができる。このミュート期間は、再同期を確立した後、新たな同期タイミングＮＴＳ３に基づいて音声圧縮フレームの始期ＮＴＶＧ１が決定されて、親機音声処理部２８において、タイミングＮＴＥ２を始期とする伸長処理を完了するまで継続される（第２ミュート期間）。即ち、親機制御部２０は、マイク２から受信した圧縮信号に伝送エラーが含まれることを検出した場合、親機音声処理部２８は、再確立した同期タイミングに基づいてディジタル音声信号を生成するまでの期間、音声信号の再生を停止するのである。これによって伝送エラーが発生した際に、親機３に接続あるいは内蔵されたスピーカ２９（図１、図５参照）から異音が発生することを防止できる。
【０１３９】
さて、タイミングＴＳＸを始期とするエラー通知スロットでマイク２に送信された伝送エラーは、同期タイミングＴＳ１を始期とするマイク送信スロット（スロットＳ４）において親機３が検出した伝送エラーに基づくから、ＴＶＧ１〜ＴＶＧ２〜ＴＶＧ３の音声圧縮フレームで取り込まれた音声信号は、親機３に送信したとしても伝送エラーを生じる可能性が高い。そこでマイク音声処理部１８（図３参照）は、圧縮処理開始タイミングＴＣ２においてミュート処理を実行してミュート信号を生成するようにしてもよい。ここでミュート信号は、ＴＶＧ１〜ＴＶＧ２〜ＴＶＧ３の音声圧縮フレームに取り込まれたディジタル音声信号をＮＵＬＬデータとして圧縮処理を実行して生成してもよく、予めメモリ１７（図３参照）にミュート用のデータ領域を設けておき、圧縮処理部１８ｃ（図３参照）にデータを渡す際のＤＭＡ（Direct Memory Access）ソースアドレスを切り替えるようにして生成してもよい。
【０１４０】
これによって、同期タイミングＴＳ２を始期とするマイク送信スロット（スロットＳ４）では、ミュート信号が親機３に送信される。これを受信した親機３は、伸長処理開始タイミングＴＥ２で伸長処理を実行する。伸長されたディジタル音声信号は無音状態であるから、これによって親機３のスピーカ２９（図６参照）からの音声再生が停止（ミュート）される。このミュート期間（第１ミュート期間）も上述した第２ミュート期間と同様に、親機音声処理部２８において、タイミングＮＴＥ２を始期とする伸長処理を完了するまで継続される。もちろん、上述したように親機制御部２０で第２ミュート期間を設けることから、マイク音声処理部１８でミュート信号を生成しなくても構わない。
【０１４１】
以上、本発明に係るワイヤレスマイクシステム１について特定の実施形態に基づいて詳細に説明したが、これらの実施形態はあくまでも例示であって、本発明はこれらの実施形態によって限定されるものではない。例えば、各実施形態では、ＤＥＣＴ方式を用いたワイヤレスマイクシステム１について説明したが、ＤＥＣＴ方式のみならず、例えばＰＨＳ（Personal Handy-phone System）やｓＰＨＳ（Super PHS）にも応用することができる。また、各実施形態では、マイク２と親機３とを１対１に対応させて説明したが、マイク２は複数本としてもよい。また、本発明に係るワイヤレスマイクシステム１はマイク２から親機３へと音声信号を単方向に送信するものであるが、親機３からマイク２へも音声信号を送信する、音声信号を双方向に送受信するワイヤレスマイクシステム１（いわゆるインターカムシステム）を構成してもよい。また、本発明はコードレス電話システムに応用することもできる。なお、上述した実施形態に示した各構成要素は必ずしも全てが必須ではなく、少なくとも本発明の範囲を逸脱しない限りにおいて適宜取捨選択することが可能である。
【産業上の利用可能性】
【０１４２】
本発明に係るワイヤレスマイクシステムは、音声信号をマイクから親機に同期して伝送する際に、使用者がマイクに音声を入力してから、親機で音声が再生され始めるまでの遅延時間を短縮することが可能であることから、ＤＥＣＴ、ＰＨＳ、ｓＰＨＳ等同期タイミングを設定して音声信号等を送受信を行うワイヤレスマイクシステム、およびコードレス電話システム等において好適に利用することができる。
【符号の説明】
【０１４３】
１    ワイヤレスマイクシステム
２    マイク（子機）
３    親機
１０  マイク制御部
１１  マイク無線部（無線部）
１１ａ  フレーム処理部
１１ｄ  同期制御部
１７  メモリ
１８  マイク音声処理部（音声処理部）
１８ｃ  圧縮処理部
２０  親機制御部
２１  親機無線部
２７  メモリ
２８  親機音声処理部
２８ａ  伸長処理部
５０  同期フィールド
５１  制御ビットフィールド
５３  データビットフィールド
６０  子機送信スロット
６１  子機受信スロット
【図１】
2015019146.tif 000003
【図２】
2015019146.tif 000004
【図３】
2015019146.tif 000005
【図４】
2015019146.tif 000006
【図５】
2015019146.tif 000007
【図６】
2015019146.tif 000008
【図７】
2015019146.tif 000009
【図８】
2015019146.tif 000010
【図９】
2015019146.tif 000011
【図１０】
2015019146.tif 000012
【図１１】
2015019146.tif 000013
【図１２】
2015019146.tif 000014
【図１３】
2015019146.tif 000015
【図１４】
2015019146.tif 000016
【図１５】
2015019146.tif 000017
【図１６】
2015019146.tif 000018
【図１７】
2015019146.tif 000019
【図１８】
2015019146.tif 000020